(57)【要約】【課題】消費者の好みの多様化に対する要求を満たすことができる斬新な構成の飲食物用容器を提供すること。【解決手段】飲料水または食物が収納可能な飲食物用容器１であって、上端に開口部２ａを有する透明なＰＥＴからなる容器本体２と、開口部２ａを閉塞するスチールまたはアルミニウムからなるキャップ部材３とを備え、キャップ部材３を平板状に形成するとともに外周部を容器本体２の開口部２ａにカシメ固定し、キャップ部材３内周部に、キャップ部材３に固着された把持部材４ａおよび把持部材４ａがキャップ部材３から剥がされたときに開口する飲み口３ａを設ける。【選択図】図１
2007168803.tif 000002
【特許請求の範囲】
【請求項１】
飲料水または食物が収納可能な飲食物用容器であって、
一端に開口部を有する透明な樹脂製の容器本体と、前記開口部を閉塞する金属製のキャップ部材とを備えたことを特徴とする飲食物用容器。
【請求項２】
前記容器本体がＰＥＴ（ポリエチレンテレフタレート）からなることを特徴とする請求項１に記載の飲食物用容器。
【請求項３】
前記キャップ部材がスチールまたはアルミニウムからなることを特徴とする請求項１に記載の飲食物用容器。
【請求項４】
前記キャップ部材は平板状に形成されるとともに外周部が前記容器本体の開口部にカシメ固定され、前記キャップ部材の内周部に、飲み口と、前記飲み口を閉塞するように外周部が前記飲み口の内周部に固着された閉塞部と、前記閉塞部と連動し、所定方向に移動したときに前記閉塞部を前記飲み口から剥がして前記飲み口を開口する把持部材とを有することを特徴とする請求項１〜請求項３の何れか１項に記載の飲食物用容器。
【発明の詳細な説明】
【技術分野】
【０００１】
本発明は、飲食物用容器に関し、例えば、お茶、水、果汁ジュース等の飲料水やおでん等の食物を収納可能な飲食物用容器に関する。
【背景技術】
【０００２】
一般に、ポリエチレンテレフタレート（ＰＥＴ）を主成分とする樹脂材料から製造されるＰＥＴボトルは、軽量、多様な成形形状、リサイクル化による環境への優しさ等の様々な利点を備えているため、飲料用の容器として一般的に広く使用されている（例えば、特許文献１参照）。
【０００３】
また、熱による変形が少ないことからホットコーヒーやホットティー等の高温の飲料が充填されるプルトップ式の金属缶（例えば、特許文献２参照）、比較的安価に製造可能なガラス容器本体およびアルミキャップからなる飲料用容器（例えば、特許文献３参照）もあり、従来から多種多様な飲料用容器を用いて様々な飲料を提供している。
【特許文献１】特開２０００−２８１０６７号公報
【特許文献２】特開２００３−８１２６７号公報
【特許文献３】特開平１０−３３８２２１号公報
【発明の開示】
【発明が解決しようとする課題】
【０００４】
しかしながら、上述した飲料用容器にあっては、ＰＥＴボトル、金属缶、ガラス製の容器本体とアルミキャップの組合せ等から構成されるものであり、その他の構成の飲料用容器は未だなく、消費者の好みの多様化に対して答えられる斬新な構成の飲料用容器が望まれている。
【０００５】
本発明はこのような問題を解決するためになされたもので、消費者の好みの多様化に対する要求を満たすことができる斬新な構成の飲食物用容器を提供するものである。
【課題を解決するための手段】
【０００６】
本発明の飲食物用容器は、飲料水または食物が収納可能な飲食物用容器であって、一端に開口部を有する透明な樹脂製の容器本体と、前記開口部を閉塞する金属製のキャップ部材とを備えたものから構成されている。
【０００７】
この構成により、樹脂製の容器本体と金属製のキャップ部材を組み合わせたものから飲料物用容器を構成しているので、斬新な構成の飲料物用容器を消費者に提供することができ、消費者の好みの多様化に対する要求を満たすことができる。
【０００８】
また、透明な樹脂性の容器本体を用いることにより、外部から容器本体内の飲食物を目視することができ、消費者が安心して商品を購入することができる。また、樹脂製の容器本体と金属製のキャップ部材を組み合わせたものから飲料物用容器を構成しているので、飲食物用容器を落下させてもガラス製の容器本体のように破損するのを防止することができる。
【０００９】
また、キャップ部材を金属から構成しているので、飲料や食物をホット充填により容器本体に充填する際に、従来のホット充填のように高温の飲料を容器本体内に充填してキャップをした後、容器本体を横にしてキャップ部材の内面および容器本体のキャップ部材側内面を加熱して殺菌処理する必要がなく、熱伝導率の高いキャップ部材を外部から加熱することにより、キャップ部材の内面と容器本体の一端内面を除菌することができる。
【００１０】
このため、飲料の味や風味等の品質が低下するのを防止することができる。これに加えて、簡単に飲料用容器を殺菌することができるので、無菌充填のように高コストな設備を設置する必要がなく、飲食物の充填装置の設備コストが増大するのを防止することができる。
【００１１】
また、本発明の飲食物用容器は、前記容器本体がＰＥＴ（ポリエチレンテレフタレート）からなるものから構成されている。
【００１２】
この構成により、容器本体の軽量化を図ることができるとともに、容器本体のリサイクルを容易に行うことができる。また、容器本体の形状の自由度を向上させることができ、多様な形状の容器本体を容易に製造することができる。
【００１３】
また、本発明の飲食物用容器は、前記キャップ部材がスチールまたはアルミニウムからなるものから構成されている。
【００１４】
この構成により、熱伝導率の高いキャップ部材を使用することにより、キャップ部材を短時間で加熱してキャップ部材の内面や容器本体の一端内面の殺菌を行うことができ、熱により飲食物の品質が低下するのをより一層防止することができる。
【００１５】
また、本発明の飲食物用容器の前記キャップ部材は平板状に形成されるとともに外周部が前記容器本体の開口部にカシメ固定され、前記キャップ部材の内周部に、飲み口と、前記飲み口を閉塞するように外周部が前記飲み口の内周部に固着された閉塞部と、前記閉塞部と連動し、所定方向に移動したときに前記閉塞部を前記飲み口から剥がして前記飲み口を開口する把持部材とを有するものから構成されている。
【００１６】
この構成により、キャップ部材を平板状にしたので、キャップ部材の上に本形状の飲食物用容器を重ねた状態で陳列することができ、少ないスペースで多くの商品の陳列を行うことができる。
また、手で触った部分が樹脂の感触で、口が当たる部分の感触が金属であるため、今までにない新鮮な感触で飲料を味わうことができる。
【発明の効果】
【００１７】
本発明の飲食物用容器によれば、消費者の好みの多様化に対する要求を満たすことができる斬新な構成の飲食物用容器を提供することができる。
【発明を実施するための最良の形態】
【００１８】
以下、本発明の好適な実施の形態について、図面を用いて説明する。
図１〜図３は本発明に係る飲食物用容器の第１の実施の形態を示す図である。
【００１９】
まず、構成を説明する。図１において、飲食物用容器１は、ＰＥＴ（ポリエチレンテレフタレート）からなる透明な容器本体２と、スチールまたはアルミニウムからなる平板状のキャップ部材３とから構成されている。
【００２０】
容器本体２の上端（一端）には開口部２ａが設けられており、キャップ部材３は開口部２ａを閉塞するようにその外周部が容器本体２の上端にカシメ固定されている。
【００２１】
また、図２（ａ）（ｂ）に示すように、キャップ部材３の内周部には、飲み口３ａと、飲み口３ａを閉塞するように外周部が飲み口３ａの内周部に固着された閉塞部３ｂと、閉塞部３ｂと連動し、上方に移動したときに閉塞部３ｂを飲み口３ａから剥がして飲み口３ａを開口する把持部材４ａとが設けられており、本実施の形態のキャップ部材３は、所謂、プルトップ式となっている。
【００２２】
また、容器本体２内には、果汁ジュース、水、コーヒー、お茶等の飲料水やおでん、煮魚、くだもの等の食物が収容されるようになっている。なお、飲食物については特に限定される必要はない。また、飲み口３ａは充填される飲食物の大きさに応じた形状に形成されることが好ましく、飲料の場合には飲み口３ａの開口面積は小さく形成する。また、食物の場合には飲み口３ａの開口面積を大きく形成し、飲食物の取出し口となる。
【００２３】
このような構成を有する飲食物用容器１に飲食物を充填する方法を図３に示すホット充填工程を用いて説明する。なお、本実施の形態では、果汁ジュースを充填する方法について説明する。
【００２４】
図３において、まず、殺菌工程でキャップ部材３と容器本体２を殺菌した後（ステップＳ１）、充填工程で容器本体２に殺菌済の果汁ジュースを充填する（ステップＳ２）。次いで、カシメ工程で容器本体２にキャップ部材３をカシメ固定して容器本体２をキャップ部材３で密閉する（ステップＳ３）。
【００２５】
次いで、殺菌工程でキャップ部材３の上方からキャップ部材３に温風を吹き付けることにより、キャップ部材３の内面およびキャップ部材３と容器本体２の上端内面（容器本体２とキャップ部材３の結合面）を殺菌する（ステップＳ４）。このようにして容器本体２内に充填された飲食物用容器１は箱詰め等された後に出荷される。
【００２６】
このように本実施の形態では、上端に開口部２ａを有する透明な樹脂製の容器本体２と、開口部２ａを閉塞する金属製のキャップ部材３とを備えたものから飲食物用容器１を構成したので、斬新な構成の飲料物用容器を消費者に提供することができ、消費者の好みの多様化に対する要求を満たすことができる。
【００２７】
また、透明な樹脂性の容器本体２を用いることにより、外部から容器本体２内の飲食物を目視することができ、消費者が安心して商品を購入することができる。また、樹脂製の容器本体２と金属製のキャップ部材３を組み合わせたものから飲料物用容器１を構成しているので、飲食物用容器１を落下させてもガラス容器本体のように破損するのを防止することができる。
【００２８】
また、キャップ部材３を金属から構成しているので、飲料や食物をホット充填により容器本体に充填する際に、従来のホット充填のように高温の飲料を容器本体２内に充填してキャップをした後、容器本体２を横にしてキャップ部材３の内面を加熱して殺菌処理する必要がなく、熱伝導率の高いキャップ部材３を外部から加熱することにより、キャップ時にキャップ部材３の内面および容器本体２の上端内面を除菌することができる。
【００２９】
このため、飲料の味や風味等の品質が低下するのを防止することができる。これに加えて、簡単に飲料用容器１を殺菌することができるので、無菌充填のように高コストな設備を設置する必要がなく、飲食物の充填装置の設備コストが増大するのを防止することができる。
【００３０】
また、本実施の形態では、容器本体２をＰＥＴから構成しているので、容器本体２の軽量化を図ることができるとともに、容器本体２のリサイクルを容易に行うことができる。また、容器本体２の形状の自由度を向上させることができ、多様な形状の容器本体２を容易に製造することができる。
【００３１】
また、本実施の形態では、キャップ部材３をスチールまたはアルミニウムから構成しているので、熱伝導率の高いキャップ部材３を使用することにより、キャップ部材３を短時間で加熱してキャップ部材３の内面や容器本体４の上端内面の殺菌を行うことができ、熱により飲食物の品質が低下するのをより一層防止することができる。
【００３２】
また、本実施の形態では、キャップ部材３を平板状に形成するとともにキャップ部材３の外周部を容器本体２の開口部２ａにカシメ固定し、キャップ部材３の内周部に、飲み口３ａと、飲み口３ａを閉塞するように外周部が飲み口３ａの内周部に固着された閉塞部３ｂと、閉塞部３ｂと連動し、上方に移動したときに閉塞部３ｂを飲み口３ａから剥がして飲み口３ａを開口する把持部材４ａとを設けたので、キャップ部材３の上に本形状の飲食物用容器１を重ねた状態で陳列することができ、少ないスペースで多くの商品の陳列を行うことができる。
【００３３】
また、手で触った部分がＰＥＴの感触で、口が当たる部分の感触が金属であるため、今までにない新鮮な感触で飲料を味わうことができる。
【００３４】
なお、本実施の形態では、キャップ部材３と容器本体２が異なる材質から構成されるので、ゴミの分別を行う際に、キャップ部材３と容器本体２を別々に廃棄する必要がある。この場合には、容器本体２からキャップ部材３を強制的に取外すようにすれば良い。
【００３５】
また、容器本体２からキャップ部材３を取外す際の作業性を良好にするために、図４に示すようにしても良い。すなわち、図４に示すように、キャップ部材１１の上部１１ａと下部１１ｂとを薄肉部を介して連結することにより、上部１１ａから下部１１ｂを切り離し可能にし、下部１１ｂに把持部１１ｃを設ける。
【００３６】
そして、下部１１ｂを容器本体２の上端にカシメ固定してキャップ部材１１を容器本体２の上端に取付ける。そして、容器本体２からキャップ部材１１を取外すときに、把持部１１ｃを把持して下部１１ｂを容器本体２の周方向に引っ張ることにより、薄肉部を介して下部１１ｂを上部１１ａから切り離す。
【００３７】
このようにして容器本体２の上端にカシメ固定された下部１１ｂを容器本体２から剥がすことができ、キャップ部材１１を容器本体２から簡単に取外して容器本体２とキャップ部材１１を分別して廃棄することができる。
【００３８】
図５は本発明に係る飲食物用容器の第２の実施の形態を示す図である。図５において、飲食物用容器２１は、ＰＥＴ（ポリエチレンテレフタレート）からなる透明な容器本体２２と、スチールまたはアルミニウムからなる平板状のキャップ部材２３とから構成されている。
【００３９】
容器本体２２の上端（一端）には開口部２２ａが設けられており、キャップ部材２３は開口部２２ａを閉塞するようになっている。また、容器本体２２の上端にはねじ部２２ｂが形成されているとともに、キャップ部材２３の内周部にはねじ部２３ａが形成されており、ねじ部２２ｂとねじ部２３ａが螺合および螺合解除されることにより、キャップ部材２３は容器本体２２に対して着脱自在になっている。
【００４０】
本実施の形態にあっても、第１の実施の形態と同様にして飲料が容器本体２２内に充填されるようになっており、第１の実施の形態と同様の効果を得ることができる。なお、本実施の形態では、開口部２２ａの幅が狭いので、飲食物を充填して使用するよりも飲料を充填して使用するのに適している。但し、飲食物としては、比較的小さい顆粒状の飲食物を充填して使用する場合には、問題はない。
【産業上の利用可能性】
【００４１】
以上のように、本発明に係る飲食物用容器は、消費者の好みの多様化に対する要求を満たすことができる斬新な構成の飲食物用容器を提供することができるという効果を有し、お茶、水、果汁ジュース等の飲料水やおでん等の食物を収納可能な飲食物用容器等として有用である。
【図面の簡単な説明】
【００４２】
【図１】本発明の第１の実施の形態における飲食物用容器の正面図
【図２】（ａ）は本発明の第１の実施の形態における飲食物用容器のキャップ部材の上面図、（ｂ）は把持部材を剥がした状態を示すキャップ部材の上面図
【図３】本発明の第１の実施の形態における飲料の充填工程を示す図
【図４】本発明の第１の実施の形態における飲食物用容器のキャップ部材の他の形状を示す図
【図５】本発明の第２の実施の形態における飲食物用容器の正面図
【符号の説明】
【００４３】
１、２１  飲食物用容器
２、２２  容器本体
３、２３  キャップ部材
３ａ  飲み口
３ｂ  閉塞部
４ａ  把持部材
【図１】
2007168803.tif 000003
【図２】
2007168803.tif 000004
【図３】
2007168803.tif 000005
【図４】
2007168803.tif 000006
【図５】
2007168803.tif 000007